(57)【要約】【課題】  作業者の足裏の感覚、視覚および聴覚で作業床の端部が感知できる可搬式作業台を提供することである。【解決手段】  可搬式作業台１は、作業床３の長辺方向の両端部に設けられた踏み外し防止用の感知板４と、該感知板４が設置された作業床３の下面に設けた、支軸６を中心に回転する回転板５とから構成され、前記感知板４は二枚の長尺片１３、１４が蝶番１５で接合されて山形状に形成され、該長尺片１３の一方のみが蝶番１６で作業床３に取り付けられ、一方の長尺片１３が、回転板５の先端上面に突設されて作業床３から突出した支持ピン１７で支持されたことである。【選択図】図１
2005330759.tif 000002
【特許請求の範囲】
【請求項１】
作業床の長辺方向の両端部に設けられた踏み外し防止用の感知板と、該感知板が設置された作業床の下面に設けた、支軸を中心に回転する回転板とから構成され、前記感知板は二枚の長尺片が蝶番で接合されて山形状に形成され、該長尺片の一方のみが蝶番で作業床に取り付けられ、一方の長尺片が、回転板の先端上面に突設されて作業床から突出した支持ピンで支持されたことを特徴とする可搬式作業台。
【請求項２】
作業床の長辺方向の両端部に設けられた踏み外し防止用の感知板と、該感知板が設置された作業床の下面に設けた、支軸を中心に回転する回転板と、該回転板の後部上面と作業床下面との間に設置されたスプリングと、回転板の後部側における作業床下面に設けた、空気笛を備えた空気入りチューブとから構成され、前記感知板は二枚の長尺片が蝶番で接合されて山形状に形成され、該長尺片の一方のみが蝶番で作業床に取り付けられ、一方の長尺片が、回転板の先端上面に突設されて作業床から突出した支持ピンで支持されたことを特徴とする可搬式作業台。
【請求項３】
感知板の表面には突起が設けられ、表面が有彩色で着色されたことを特徴とする請求項１または２に記載の可搬式作業台。
【発明の詳細な説明】
【技術分野】
【０００１】
本発明は可搬式作業台に関するものである。
【背景技術】
【０００２】
建築工事において使用される可搬式作業台２０の作業床２１には、図７に示すように、長辺方向の両端部に踏み外しを防ぐための感知用突起２２を設けている。この感知用突起２２は、プラスチック製のキャップであり、これを作業床２１の既存孔２３に差し込んで設置している。また、その他の可搬式作業台としては、例えば特開２００４−６８４３６号の発明が知られている。
【特許文献１】特開２００４−６８４３６号公報
【発明の開示】
【発明が解決しようとする課題】
【０００３】
しかし、上記の可搬式作業台における感知用突起はプラスチック製であるため、キャップの部分が折れやすく、メンテナンス費用が余分に掛かってしまうという問題があった。また感知用突起が小さく、しかもその設置間隔が大きいため作業者の足裏で感知し難いという問題もあった。
【０００４】
本発明は、上記のような問題に鑑みてなされたものであり、その目的は、作業者の足裏の感覚、視覚および聴覚で作業床の端部が感知できる可搬式作業台を提供することである。
【課題を解決するための手段】
【０００５】
以上の課題を解決するための可搬式作業台は、作業床の長辺方向の両端部に設けられた踏み外し防止用の感知板と、該感知板が設置された作業床の下面に設けた、支軸を中心に回転する回転板とから構成され、前記感知板は二枚の長尺片が蝶番で接合されて山形状に形成され、該長尺片の一方のみが蝶番で作業床に取り付けられ、一方の長尺片が、回転板の先端上面に突設されて作業床から突出した支持ピンで支持されたことを特徴とする。
また、可搬式作業台は、作業床の長辺方向の両端部に設けられた踏み外し防止用の感知板と、該感知板が設置された作業床の下面に設けた、支軸を中心に回転する回転板と、該回転板の後部上面と作業床下面との間に設置されたスプリングと、回転板の後部側における作業床下面に設けた、空気笛を備えた空気入りチューブとから構成され、前記感知板は二枚の長尺片が蝶番で接合されて山形状に形成され、該長尺片の一方のみが蝶番で作業床に取り付けられ、一方の長尺片が、回転板の先端上面に突設されて作業床から突出した支持ピンで支持されたことを特徴とする。また感知板の表面には突起が設けられ、表面が有彩色で着色されたことを含むものである。
【発明の効果】
【０００６】
山形状の感知板を作業者が踏むと、感知板が水平になるので、足裏で作業床の端部を感知することができる。また山形状の感知板を作業者が踏むと、感知板が水平になると同時にチューブが縮んで空気笛が鳴らされるので、作業者の聴覚により作業床の端部を感知することができる。また感知板が有彩色で着色されたことにより、作業者の視覚により作業床の端部を感知することができる。
【発明を実施するための最良の形態】
【０００７】
以下、本発明の可搬式作業台（以下、作業台という）の実施の形態を図面に基づいて説明する。本実施の形態において、同じ構成は同じ符号を付して説明し、異なった構成にのみ異なった符号を付して説明する。
【０００８】
図１〜図４は、第１の実施の形態の作業台１を示したものである。この作業台１は、４本の脚２で支持された、長さ1130〜1500mmの作業床３の長辺方向の両端部に、短辺方向に沿って設置された踏み外し防止用の感知板４と、該感知板４が設置された作業床３の下面に設けた、支軸６を中心に回転する回転板５と、該回転板５の後部上面と作業床３下面との間に設置されたスプリング７と、回転板５の後部側における作業床３下面に設けた、空気笛９を備えた空気入りチューブ８とから構成されている。
【０００９】
感知板４の幅は、作業床３に他の作業台１０を重ねたときに、折り畳まれた脚１１の間に収まる大きさ、すなわち脚１１が設置される幅が作業床３の側端部に形成される大きさである。また感知板４は作業者の視覚で感知しやすいように赤、青、黄色などの有彩色で着色され、その上には突起１２が設けられている。
【００１０】
この感知板４は、二枚の長尺片１３、１４が蝶番１５で接合され、該長尺片１３の一方のみが他の蝶番１６で作業床３に取り付けられるとともに、他方の長尺片１４が固定されずにフリーの状態になっている。また、この一方の長尺片１３を作業床３から突出した支持ピン１７で支持して感知板３を山形にしている。この山形は支持ピン１７がスプリング７によって、常時上側に押し上げられて形成され、上から押されると水平になるが、その力がなくなると、このバネ作用によって、もとの山形に戻るようになっている。
【００１１】
また支持ピン１７を突設した回転板５は、作業床３下面の支軸６に回転自在に設けられ、後部側のスプリング７で先端側が常時上側に押し上げられている。また回転板５の後部側の作業床３下面には、空気笛９を備えた空気入りゴムまたはビニールのチューブ８が設置され、このチューブ８が、回転板５の回転による後端部側の押し上げによって、押し潰されて空気笛９が鳴るようになっている。
【００１２】
したがって、図４に示すように、作業者が足で感知板４を踏むと、これが水平になって支持ピン１７を押すことにより回転板５が回転して、チューブ８を押し潰すので空気笛９が鳴り、作業者が聴覚で作業床３の端部を感知することができる。次に、作業者が感知板４から足を外すと、スプリング７により回転板５が回転して、支持ピン１７で水平の感知板４を押し上げて山形状にする。このときチューブ８は空気を吸い込んで再び大きくなるが、回転板５とチューブ８の下面とを接着させておくと、回転板５の回転力によって強制的にチューブ８を大きくする。
【００１３】
また図５は第２の実施の形態の作業台１８を示したものである。この作業台１８は、スプリング７をチューブ８内に設置したものであり、これ以外は上記の第１の実施の形態の作業台１と同じ構成である。このチューブ８はスプリング７の力によって空気を吸い込んで大きくなるようになっている。したがって、作業者が感知板４から足を外すと、スプリング７により回転板が回転して、支持ピン１７で水平の感知板４を押し上げて山形状にするとともに、チューブ８も空気を強制的に吸い込んで大きくなる。
【００１４】
また図６は第３の実施の形態の作業台１９を示したものである。この作業台１９は、空気笛９を備えたチューブ８のないものであり、これ以外は上記の第１の実施の形態の作業台１と同じ構成である。このチューブ８がなくても、作業者が足で感知板４を踏むと、これが水平になるので、これを作業者が足裏で感知して作業床３の端部を察知することができる。また作業者が感知板４から足を外すと、該感知板４は前記と同じ方法で山形になる。
【図面の簡単な説明】
【００１５】
【図１】第１の実施の形態の作業台の一部省略斜視図である。
【図２】第１の実施の形態の作業台の一部省略断面図である。
【図３】第１の実施の形態の作業台の一部省略平面図である。
【図４】感知板が水平になった作業台の断面図である。
【図５】第２の実施の形態の作業台の一部省略断面図である。
【図６】（１）は第３の実施の形態の作業台の一部省略断面図、（２）は感知板が水平になった断面図である。
【図７】従来の作業台であり、（１）は平面図、（２）は一部省略断面図である。
【符号の説明】
【００１６】
１、１０、１８、１９、２０  作業台
２、１１  脚
３、２１  作業床
４  感知板
５  回転板
６  支軸
７  スプリング
８  チューブ
９  空気笛
１２  突起
１３、１４  長尺片
１５、１６  蝶番
１７  支持ピン
２２  感知用突起
２３  既存孔
【図１】
2005330759.tif 000003
【図２】
2005330759.tif 000004
【図３】
2005330759.tif 000005
【図４】
2005330759.tif 000006
【図５】
2005330759.tif 000007
【図６】
2005330759.tif 000008
【図７】
2005330759.tif 000009